(57)【要約】  ウォーターポンプ、空調機用洗浄装置、壁掛型室内機及び空気調和機を提供する。本発明は、ウォーターポンプ、空調機用洗浄装置、壁掛型室内機及び空気調和機を開示する。前記壁掛型室内機は、前記空調機用洗浄装置を含む。前記空調機用洗浄装置は、ウォーターポンプを含む。前記ウォーターポンプは、ポンプ本体と複数のポストとを含み、前記ポンプ本体が吐出口と、前記吐出口と連通する吸込口とを備え、複数の前記ポストが前記ポンプ本体に設けられ、かつ複数の前記ポストが前記吸込口を取り囲む。
2021517625.tif 000002
【特許請求の範囲】
【請求項１】
ポンプ本体と複数のポストとを含み、前記ポンプ本体が吐出口と、前記吐出口と連通する吸込口とを備え、複数の前記ポストが前記ポンプ本体に設けられ、かつ複数の前記ポストが前記吸込口を取り囲む、ウォーターポンプ。
【請求項２】
前記ポンプ本体は、前記吸込口の周りに吸込筒を突設し、複数の前記ポストが前記吸込筒の端面に設けられ、及び／或いは、複数の前記ポストが吸込筒の外周に設けられる、請求項１に記載のウォーターポンプ。
【請求項３】
前記吸込筒の外周に設けられた前記ポストと前記吸込筒の側壁との間に連結リブが連結される、請求項２に記載のウォーターポンプ。
【請求項４】
前記吸込筒の外周に設けられ、隣接する２本の前記ポストの間に連結板が連結される、請求項２に記載のウォーターポンプ。
【請求項５】
前記連結板は、隣接する３つの側辺を備え、前記３つの側辺が各々隣接する前記ポスト及び前記ポンプ本体の表面と連接する、請求項４に記載のウォーターポンプ。
【請求項６】
前記ポンプ本体の表面における前記連結板の高さは、前記ポンプ本体の同一表面における前記吸込筒の高さより低い、請求項５に記載のウォーターポンプ。
【請求項７】
前記ポンプ本体の表面における前記連結板の高さは、前記連結板が連結するポストの高さの１／５以上であり、前記ポストの高さの１／２以下である、請求項５に記載のウォーターポンプ。
【請求項８】
複数の前記ポストの端面は、面一である、請求項６に記載のウォーターポンプ。
【請求項９】
前記ポストの外径は、その高さ方向に向かって徐々に小さくなる、請求項１に記載のウォーターポンプ。
【請求項１０】
複数の前記ポストは、前記吸込口を２周又は３周取り囲む、請求項１に記載のウォーターポンプ。
【請求項１１】
前記ポンプ本体は、台座とカバーと駆動ブレードとを含み、前記台座が前記吸込口と、前記吸込口と前記吐出口を連通するキャビティとを備え、前記カバーが前記キャビティを覆い被せ、前記駆動ブレードが前記カバーを貫通して前記キャビティ内に挿通する、請求項１に記載のウォーターポンプ。
【請求項１２】
集水タンクとウォーターポンプとを含み、前記ウォーターポンプは、ポンプ本体と複数のポストとを含み、前記ポンプ本体が吐出口と、前記吐出口に連通する吸込口とを備え、複数の前記ポストが前記ポンプ本体に設けられ、かつ複数の前記ポストが前記吸込口を取り囲み、前記ウォーターポンプの前記吐出口が前記集水タンクと連通する、空調機用洗浄装置。
【請求項１３】
前記ウォーターポンプのポンプ本体の外表面の側方向には一対の突出部が突設され、一対の前記突出部が前記集水タンクと接続する、請求項１２に記載の空調機用洗浄装置。
【請求項１４】
第１ローラブラシと第２ローラブラシと駆動アセンブリを更に含み、前記第１ローラブラシ及び前記第２ローラブラシが前記集水タンクに垂直に設けられ、前記駆動アセンブリが前記第１ローラブラシ及び前記第２ローラブラシに連結される、請求項１２に記載の空調機用洗浄装置。
【請求項１５】
筐体と空調機用洗浄装置とを含み、前記空調機用洗浄装置は、前記筐体内に取り付けられ、壁掛型室内機の内部部材を洗浄するために用いられ、集水タンクとウォーターポンプとを含み、前記ウォーターポンプがポンプ本体と複数のポストとを含み、前記ポンプ本体が吐出口と、前記吐出口に連通する吸込口とを備え、複数の前記ポストが前記ポンプ本体に設けられ、かつ複数の前記ポストが前記吸込口を取り囲み、前記ウォーターポンプの前記吐出口が前記集水タンクと連通する、壁掛型室内機。
【請求項１６】
前記筐体は、シャーシを含み、前記シャーシに水受け槽が設けられ、前記空調機用洗浄装置の前記ウォーターポンプが前記水受け槽と連通する、請求項１５に記載の壁掛型室内機。
【請求項１７】
前記ウォーターポンプの複数の前記ポストは、前記水受け槽内延在する、請求項１６に記載の壁掛型室内機。
【請求項１８】
前記内部部材は、前記壁掛型室内機のフィルタである、請求項１５に記載の壁掛型室内機。
【請求項１９】
空調室外機と前記壁掛型室内機とを含み、前記壁掛型室内機と前記空調室外機は、冷媒配管によって接続され、前記壁掛型室内機は筐体と空調機用洗浄装置とを含み、前記空調機用洗浄装置が前記筐体内に取り付けられ、前記壁掛型室内機の内部部材を洗浄するために用いられ、集水タンクとウォーターポンプを含み、前記ウォーターポンプがポンプ本体と複数のポストとを含み、前記ポンプ本体が吐出口と、前記吐出口に連通する吸込口とを備え、複数の前記ポストが前記ポンプ本体に設けられ、かつ複数の前記ポストが前記吸込口を取り囲み、前記ウォーターポンプの前記吐出口が前記集水タンクと連通する、空気調和機。
【発明の詳細な説明】
【技術分野】
【０００１】
［関連出願］
本願は、「ウォーターポンプ、空調機用洗浄装置、壁掛型室内機及び空気調和機」という発明の名称を有し、２０１９年３月３日に出願された、中国特許出願番号第２０１９１０１５９３９６．７号及び中国特許出願番号第２０１９２０２６７９７０．６号の優先権を主張し、その全内容は、引用により本明細書に組み込まれる。
【０００２】
本発明は、空気調和機分野に関し、特に、ウォーターポンプ、空調機用洗浄装置、壁掛型室内機及び空気調和機に関する。
【背景技術】
【０００３】
ウォーターポンプは、通常液体を輸送するための過給機としてよく使用される。従来のウォーターポンプは、吐出口と、前記吐出口と連通する吸込口とを備える。ウォーターポンプが動作している時、液体を吸込口からウォーターポンプ内部に送り込み、その後前記吐出口から流出させる。しかしながら、フロック（髪、繊維など）が液体に存在する場合、ウォーターポンプの強い吸引力で液体をフロックと一緒に吸い込み、これらフロックは極めて容易にウォーターポンプを詰まらせ、ウォーターポンプが損傷していた。
【発明の概要】
【発明が解決しようとする課題】
【０００４】
本発明の主な目的は、ウォーターポンプの目詰まりを減らし、ウォーターポンプの寿命を延ばすことを目的とするウォーターポンプを提供することである。
【課題を解決するための手段】
【０００５】
上記目的を達成するため、本発明は、ウォーターポンプとして提供され、前記ウォーターポンプはポンプ本体と複数のポストとを含み、前記ポンプ本体が吐出口と、前記吐出口と連通する吸込口とを備え、複数の前記ポストが前記ポンプ本体に設けられ、かつ複数の前記ポストが前記吸込口を取り囲む。
【０００６】
一実施形態では、前記ポンプ本体は、前記吸込口の周りに吸込筒を突設し、複数の前記ポストが前記吸込筒の端面に設けられ、及び／或いは、複数の前記ポストが吸込筒の外周に設けられる。
【０００７】
一実施形態では、前記吸込筒の外周に設けられた前記ポストと前記吸込筒の側壁との間に連結リブが連結される。
【０００８】
一実施形態では、前記吸込筒の外周に設けられ、隣接する２本の前記ポストの間に連結板が連結される。
【０００９】
一実施形態では、前記連結板は、隣接する３つの側辺を備え、前記３つの側辺が各々隣接する前記ポスト及び前記ポンプ本体の表面と連接する。
【００１０】
一実施形態では、前記ポンプ本体の表面における前記連結板の高さは、前記ポンプ本体の同一表面における前記吸込筒の高さより低い。
【００１１】
一実施形態では、前記ポンプ本体の表面における前記連結板の高さは、前記連結板が連結するポストの高さの１／５以上であり、前記ポストの高さの１／２以下である。
【００１２】
一実施形態では、複数の前記ポストの端面は、面一である。
【００１３】
一実施形態では、前記ポストの外径は、その高さ方向に向かって徐々に小さくなる。
【００１４】
一実施形態では、複数の前記ポストは、前記吸込口を２周又は３周取り囲む。
【００１５】
一実施形態では、前記ポンプ本体は、台座とカバーと駆動ブレードとを含み、前記台座が前記吸込口と、前記吸込口と前記吐出口を連通するキャビティとを備え、前記カバーが前記キャビティを覆い被せ、前記駆動ブレードが前記カバーを貫通して前記キャビティ内に挿通する。
【００１６】
本発明は、空調機用洗浄装置として更に提供され、前記空調機用洗浄装置は集水タンクとウォーターポンプとを含み、前記ウォーターポンプの吐出口が前記集水タンクと連通する。前記ウォーターポンプは、ポンプ本体と複数のポストとを含み、前記ポンプ本体が吐出口と、前記吐出口に連通する吸込口とを備え、複数の前記ポストが前記ポンプ本体に設けられ、かつ複数の前記ポストが前記吸込口を取り囲む。
【００１７】
一実施形態では、前記ウォーターポンプのポンプ本体の外表面の側方向には一対の突出部が突設され、一対の前記突出部が前記集水タンクと接続する。
【００１８】
一実施形態では、前記空調機用洗浄装置は、第１ローラブラシと第２ローラブラシと駆動アセンブリを更に含み、前記第１ローラブラシ及び第２ローラブラシが前記集水タンクに垂直に設けられ、前記駆動アセンブリが前記第１ローラブラシ及び第２ローラブラシに連結される。
【００１９】
本発明は、壁掛型室内機及び空気調和機として更に提供され、前記空気調和機は空調室外機と前記壁掛型室内機とを含み、前記壁掛型室内機と前記空調室外機が冷媒配管によって接続される。前記壁掛型室内機は、筐体と空調機用洗浄装置とを含み、前記空調機用洗浄装置が前記筐体内に取り付けられ、前記壁掛型室内機の内部部材を洗浄するために用いられる。前記空調機用洗浄装置は集水タンクとウォーターポンプとを含み、前記ウォーターポンプの吐出口が前記集水タンクと連通する。前記ウォーターポンプは、ポンプ本体と複数のポストとを含み、前記ポンプ本体が吐出口と、前記吐出口に連通する吸込口とを備え、複数の前記ポストが前記ポンプ本体に設けられ、かつ複数の前記ポストが前記吸込口を取り囲む。
【００２０】
一実施形態では、前記筐体は、シャーシを含み、前記シャーシに水受け槽が設けられ、前記空調機用洗浄装置のウォーターポンプが前記水受け槽と連通する。
【００２１】
一実施形態では、前記ウォーターポンプの複数のポストは、前記水受け槽内に延在延在する。
【００２２】
一実施形態では、前記内部部材は、前記壁掛型室内機のフィルタである。
【発明の効果】
【００２３】
本発明の技術的手段は、前記ウォーターポンプに複数のポストを設け、複数の前記ポストが前記吸込口を取り囲んで設けられることにより、前記ウォーターポンプの吸い込み過程で、複数の前記ポストで液体内のフロックを絡み合い、フロックがウォーターポンプ内部に吸い込まれるのを防ぐことで、ウォーターポンプの目詰まりを減らし、ウォーターポンプの寿命を延ばす。また、フロックがポストに巻き取られるため、ウォーターポンプを清掃する時、フロックを前記ポストから抜き出すだけでよく、簡単に清掃できる。
【００２４】
以下、本発明の実施形態又は従来技術内の技術的手段を明確に説明するため、実施形態又は従来技術の描写中に使用する必要がある添付図面を簡単に説明する。以下に描写する添付図面は、僅か本発明の幾つかの実施形態であり、当業者にとって格別の創意工夫を要すものではないとして、それら添付図面に示す構造に基づいてその他の図面を得ることができる。
【図面の簡単な説明】
【００２５】
【図１】本発明の一実施形態に係るウォーターポンプの構造を示す模式図である。
【図２】図１内のウォーターポンプの上面図である。
【図３】図２内のＩ−Ｉ線に沿った断面図である。
【図４】図１内のウォーターポンプの側面図である。
【図５】本発明の一実施形態に係る壁掛型室内機の構造を示す模式図である。
【図６】図５内の壁掛型室内機の部分構造を示す模式図である。
【図７】図６内の空調機用洗浄装置とフィルタの嵌合を示す模式図である。
【図８】図５内の壁掛型室内機の部分構造を示す断面図である。
【図９】図８内の部位Ａの拡大図である。
【発明を実施するための形態】
【００２６】
本発明の目的の達成、機能・特徴及び利点について、添付図面を基に実施形態を組み合わせて更なる説明を行う。
【００２７】
以下、本発明の実施形態内の添付図面を組み合わせて本発明の実施形態内の技術的手段について詳細に説明する。記載される実施形態は、僅か本発明の一部実施形態であって、全ての実施形態ではない。本発明の実施形態に基づいて当業者が格別の創意工夫を要すものではなく得られたその他の実施形態は、本発明の保護範囲に属する。
【００２８】
ここで言及すべき点は、本発明の実施形態において、用語「上」、「下」、「左」、「右」、「前」、「後」などが示した方位は、単に特定の様子（添付図面に示される通り）における各要素間の相対的な位置関係、配向についての説明を容易にするために用いられ、図面に描かれている該特定の様子に変更があった場合、該方位も伴って変更される。
【００２９】
また本発明の各実施形態の間の技術的手段は、相互に結合できるものとするが、当業者が実施できることを原則とする。技術的手段の結合に互に矛盾があった時或いは実現できない時、この種の技術的手段の結合が存在せず、本発明請求の保護範囲外とすることが認定されるべきである。
【００３０】
本発明は、ウォーターポンプとして提供され、前記ウォーターポンプは、液体（例えば水、オイル、溶液、乳液等の液体物）を輸送するための過給機に用いられる。ウォーターポンプの目詰まりを減らすことで、ウォーターポンプの寿命を延ばさせることができる。
【００３１】
図１乃至図３に示されるように、本発明のウォーターポンプ１００は、ポンプ本体１１０と複数のポスト１２０とを含み、ポンプ本体１１０が吐出口１０２と、吐出口１０２と連通する吸込口１０１とを備え、複数のポスト１２０がポンプ本体１１０に設けられ、かつ複数のポスト１２０が吸込口１０１を取り囲む。
【００３２】
具体的に言えば、ポンプ本体１１０は、その下表面に吸込口１０１を備え、その上表面に吐出口１０２を備えている。複数のポスト１２０は、ポンプ本体１１０の下表面に設けられ、かつ吸込口１０１を取り囲んでいる。ウォーターポンプ１００が作動している時、液体を吸込口１０１から内部に送り込み、次に前記液体を吐出口１０２から流出させる。吸い込み過程で、液体が複数のポスト１２０の間の隙間から吸込口１０１に流れ、液体中のフロックは複数のポスト１２０に巻き取られるため、ウォーターポンプ１００によって容易に吸い込まない。
【００３３】
複数のポスト１２０は、円形に沿って吸込口１０１を取り囲むことができる。当然、複数のポスト１２０も方形に沿って吸込口１０１を取り囲むこともできる。具体的に言えば、吸込口１０１の形状及びポンプ本体１１０の形状によって、設計することができ、ここでは限定されない。
【００３４】
本発明の技術的手段は、ウォーターポンプ１００に複数のポスト１２０を設け、複数のポスト１２０が吸込口１０１を取り囲んで設けられることにより、ウォーターポンプ１００の吸い込み過程で、複数のポスト１２０で液体内のフロックを絡み合い、フロックがウォーターポンプ１００内部に吸い込まれるのを防ぐことで、ウォーターポンプ１００の目詰まりを減らし、ウォーターポンプ１００の寿命を延ばす。また、フロックがポストに巻き取られるため、ウォーターポンプ１００を清掃する時、フロックをポスト１２０から抜き出すだけでよく、簡単に清掃できる。
【００３５】
図１乃至図３を継続して参照すると、一実施形態では、複数のポスト１２０は、吸込口１０１を１周以上取り囲んでもよい。ここで、複数のポスト１２０が吸込口１０１を１周のみ取り囲む時、一部フロックがウォーターポンプ１００の強い吸引力によりその１周のポスト１２０から脱落してウォーターポンプ１００の内部に吸い込まれる可能性があると考えられる。そのため、吸込口１０１を取り囲む複数のポスト１２０の周数を適切に増やすことができる。
【００３６】
ただし、前記周数も多ければ多いということではなく、周数が多くなると、液体の流れの抵抗が大きくなり、ウォーターポンプ１００に入る液体の量が少なくなる。これにより、ウォーターポンプ１００がより良いろ過効果及びより大きな吸い込み量を有することを保証するために、代替的に複数のポスト１２０は吸込口１０１を２周或いは３周取り囲むことができる。１周あたりのポスト１２０の数については、各周のポスト１２０のサイズに応じて配置すればよく、特に限定されない。
【００３７】
ポスト１２０の形状及び構造については、特に限定されない。ポスト１２０は、円柱状に配置されてもよいし、多角柱形状又は平板状に配置されてもよい。具体的には、複数のポスト１２０は、を円柱状に配置することにより、液体の流れに対するポスト１２０の抵抗を低減し、液体が隣接するポスト１２０の間の隙間を通過して吸込口１０１に流れ込むことができる。
【００３８】
また、フロックが比較的軽いため、しばしば水面に浮いている。ウォーターポンプ１００のろ過効果を向上させるため、代替的にポスト１２０の外径は、その高さ方向に向かって徐々に小さくなる。このようにすることでポスト１２０を「上が大きく下が小さい」にさせることができ、ポスト１２０の上端の外径が比較的大きく、フロックの巻き取りが容易になる。ポスト１２０の下端の外径が比較的小さいと、水流に対する抵抗力が比較的小さくなり、水流の通過が容易になる。
【００３９】
一実施形態では、複数のポスト１２０のフロックのろ過効果を向上させるため、複数のポスト１２０の端面を面一になって配置する。一部フロックが外周領域のポスト１２０から脱落されたとしても、吸込口１０１方向への移動中に最終的に内周領域のポスト１２０に絡まることで、ろ過効果を向上させることができる。
【００４０】
図１乃至図３に示されるように、一実施形態では、ウォーターポンプ１００が液体を吸込口１０１に送り込むことを容易にするため、ポンプ本体１１０は、吸込口１０１の周りに吸込筒１１４を突設する。ウォーターポンプ１００が使用される場合、ウォーターポンプ１００の吸込筒１１４のみが液面下に保持されるだけで、液体を汲み上げることができる。ポンプ本体１１０上の複数のポスト１２０の具体的な位置に対し、複数のポスト１２０が吸込筒１１４の端面に設けられ、及び／或いは、複数のポスト１２０が吸込筒１１４の外周を取り囲む。
【００４１】
すなわち、複数のポスト１２０は、吸込口１０１に近い位置を取り囲むように、全て吸込筒１１４の端面に設けられてもよい。或いは、複数のポスト１２０は、吸込口１０１の外周位置を取り囲むように、全て吸込筒１１４の外周に設けられてもよい。又は、一部のポスト１２０は、吸込筒１１４の端面に設けられ、残りのポスト１２０が吸込筒１１４の外周を取り囲む。
【００４２】
具体的には、複数のポスト１２０は、複数の第１ポスト１２０ａと複数の第２ポスト１２０ｂとを含む。第１ポスト１２０ａは、吸込筒１１４の端面に設けられ、第２ポスト１２０ｂが吸込筒１１４の外周を取り囲む。第１ポスト１２０ａの円は、第２ポスト１２０ｂの円より小さいため、第１ポスト１２０ａの数が第２ポスト１２０ｂの数よりも少ない。
【００４３】
図１乃至図３に示されるように、一実施形態では、吸込筒１１４の外周に設けられたポスト１２０（すなわち、前記第２ポスト１２０ｂ）と吸込筒の側壁との間に連結リブ１３０が連結される。連結リブ１３０は、ポスト１２０の強度を高めることで、その安定性を向上できる。
【００４４】
図１乃至図３に示されるように、一実施形態では、吸込筒１１４の外周に設けられ、隣接する２本のポスト１２０（すなわち、前記第２ポスト１２０ｂ）の間に連結板１４０が連結される。連結板１４０は、ポスト１２０の強度を高めるだけでなく、その安定性も向上することができる。かつ、連結板１４０は、液面に浮遊するフロックを遮り、第２ポスト１２０ｂの間を通過しないようにすることもでき、これにより、ろ過効果をさらに向上させることができる。
【００４５】
これに基づいて、連結板１４０でフロックを遮る効果を向上させるため、連結板１４０は、隣接する３つの側辺を備え、前記３つの側辺が各々隣接するポスト１２０及びポンプ本体１１０の表面に連接する。このような設計は、連結板１４０で液面に浮いているフロックを外周の第２ポスト１２０ｂの外で遮るよう確保できる。
【００４６】
図２乃至図４に示されるように、理論的に言えば、ポンプ本体１１０の表面上の連結板１４０の高さが高くなればなるほど、フロックを遮る効果が益々明らかとなる。ただし、これによりポスト１２０の間の隙間が減ることで、液体の通過量も減る。したがって、本実施形態では、ポンプ本体１１０の表面上の連結板１４０の高さは、前記連結板１４０に連結されたポスト１２０の高さの１／５以上であり、前記ポスト１２０の高さの１／２以下であること限定できる。
【００４７】
具体的に言えば、ポンプ本体１１０の表面上の連結板１４０の高さをＨ１とし、前記連結板１４０に連結されたポスト１２０（すなわち、第２ポスト１２０ｂ）の高さをＨ２と仮定した場合、Ｈ１及びＨ２は、１／５Ｈ２≦Ｈ１≦１／２Ｈ２に適合しなければならない。例えば、Ｈ１＝１／５Ｈ２、２／５Ｈ２、１／２Ｈ２に限定されない。このような設計は、連結板１４０にフロックを遮るというより良い効果を持たせ、また隣接する２本の第２ポスト１２０ｂの間に水流を通過させる十分な隙間を有するよう確保できる。
【００４８】
図２乃至図４に示されるように、連結板１４０が吸込口１０１への水流の流入を邪魔するのを防ぐため、代替的に、ポンプ本体１１０の表面上の連結板１４０の高さは、ポンプ本体１１０の同一表面上の吸込筒１１４の高さより低い。ポンプ本体１１０の同一表面上の吸込筒１１４の高さをＨ３と仮定した場合、Ｈ１とＨ３は、Ｈ１＜Ｈ３に適合しなければならない。
【００４９】
図１乃至図３に示されるように、上記のいずれか実施形態によれば、ポンプ本体１１０は、台座１１１とカバー１１２」と駆動ブレード１１３とを含み、前記台座１１１が吸込口１０１と、吸込口１０１と吐出口１０２を連通するキャビティ１０３とを備え、前記カバー１１２が前記キャビティ１０３を覆い被せ、前記駆動ブレード１１３が前記カバー１１２を貫通して前記キャビティ１０３内に挿通する。
【００５０】
具体的に言えば、吸込口１０１は、前記台座１１１の下表面に開設され、吐出口１０２が前記カバー１１２の上表面に設けられた。複数のポスト１２０は、吸込口１０１を取り囲んで設けられている。ウォーターポンプ１００が作動している時、前記駆動ブレード１１３の回転により、外部液体を前記キャビティ１０３内に吸い込んでから吐出口１０２から流出させる。
【００５１】
図５乃至図７に示されるように、本発明は、空調機用洗浄装置２００として更に提供され、前記空調機用洗浄装置２００は集水タンク２１０とウォーターポンプ１００とを含み、ウォーターポンプ１００の吐出口１０２が前記集水タンク２１０と連通することで、前記集水タンク２１０に給水する。前記空調機用洗浄装置２００の具体的な構造は、上記実施形態を参照する。この空調機用洗浄装置２００は、上記実施形態の技術的手段を採用するため、同様に上記実施形態の技術的手段でもたらす全ての有利な効果を奏し、ここではこれ以上説明しない。
【００５２】
図５及び図６に示されるように、前記空調機用洗浄装置２００は、壁掛型室内機３００の内部部材を洗浄するために用いられる。前記内部部材は、フィルタ、熱交換器、或いは貫流風車３２０などであってもよい。ここでは、一例として、前記内部部材をフィルターネットとして具体的に説明する。
【００５３】
図７乃至図９に示されるように、一実施形態では、前記空調機用洗浄装置２００は、フィルタ３３０を洗浄するために用いられる。前記空調機用洗浄装置２００は、第１ローラブラシ２２０と第２ローラブラシ２３０と駆動アセンブリ（図示せず）を更に含み、前記第１ローラブラシ２２０及び第２ローラブラシ２３０が前記集水タンク２１０に垂直に設けられて、フィルタを挟持するために用いられる。前記駆動アセンブリが前記第１ローラブラシ２２０及び第２ローラブラシ２３０に連結される。
【００５４】
具体的に言えば、前記集水タンク２１０の上端には開放口が形成されており、前記第１ローラブラシ２２０が前記開放口に取り付けられ、集水タンク２１０の水面下に少なくとも部分的に浸漬される。前記第２ローラブラシ２３０は、前記第１ローラブラシ２２０の上側に位置し、前記第１ローラブラシ２２０に合わせて前記フィルタの一端を挟持する。前記駆動アセンブリは、前記第１ローラブラシ２２０、第２ローラブラシ２３０と連結して、前記第２ローラブラシ２３０及び前記第１ローラブラシ２２０を回転させることで前記フィルタを移動させる。この過程では、前記第２ローラブラシ２３０及び前記第１ローラブラシ２２０により前記フィルタ上の汚れを払い落す。
【００５５】
図７に示されるように、一実施形態では、ウォーターポンプ１００は前記集水タンク２１０の底部に取り付けられている。ウォーターポンプ１００と前記集水タンク２１０の接続を容易にするために、ウォーターポンプ１００のポンプ本体１１０の外表面の側方向には一対の突出部１１５が突設され、一対の前記突出部１１５が前記集水タンク２１０と接続する。前記突出部１１５と前記集水タンク２１０は、スナップ構造或いはネジ構造により接続することができる。具体的には、前記突出部１１５上には貫通孔が設けられており、前記貫通孔は前記集水タンク２１０にネジで接続されている。
【００５６】
図５乃至図７に示されるように、本発明は、壁掛型室内機３００として更に提供され、前記壁掛型室内機３００は筐体３１０と空調機用洗浄装置２００とを含み、前記空調機用洗浄装置２００が前記筐体３１０内に取り付けられ、前記壁掛型室内機３００の内部部材を洗浄するために用いられる。前記空調機用洗浄装置２００の具体的な構造は、上記実施形態を参照する。この壁掛型室内機３００は、上記実施形態の技術的手段を採用するため、同様に上記実施形態の技術的手段でもたらす全ての有利な効果を奏し、ここではこれ以上説明しない。
【００５７】
図５乃至図７に示されるように、前記壁掛型室内機３００は、貫流風車３２０、熱交換器（図示せず）及びフィルタ３３０を更に含む。前記貫流風車３３０及び熱交換器は、前記筐体３１０に取り付けられる。前記筐体３１０に吸気口が設けられ、前記吸気口にグリル３４０が取り付けられ、前記フィルタ３００がグリル３４０上に取り付けられる。
【００５８】
図５乃至図７に示されるように、前記空調機用洗浄装置２００の水源は、壁掛型室内機３００の水受け槽３０１内の凝縮水であってもよいし、壁掛型室内機３００外部の水であってもよい。水資源の利用率をアップさせるため、代替的に前記筐体３１０は、シャーシ３１１を含み、前記シャーシ３１１が水受け槽３０１を備え、前記空調機用洗浄装置２００のウォーターポンプ１００が前記水受け槽３０１と連通する。前記水受け槽３０１は、壁掛型室内機３００の熱交換器で発生した凝縮水を受けるために用いられ、この部分の凝縮水はフィルタを洗浄するためにウォーターポンプ１００で汲み上げられ、水源を補給する必要なく、水資源の利用率を向上させることができる。
【００５９】
ただし、前記壁掛型室内機３００は、通常室内環境に取り付けられており、その内部で毛髪或いは繊維などのフロックを吸着しやすい。これらフロックが水受け槽３０１に落ちると、フロックは水受け槽３０１の水とともにウォーターポンプ１００に入り、空調機用洗浄装置２００のウォーターポンプ１００を容易に詰まる、或いは内部部材の洗浄過程で二次汚染が起きてしまう。
【００６０】
そこで、上述の状況を避けるため、ウォーターポンプ１００の複数のポスト１２０を前記水受け槽３０１内に延在する。ウォーターポンプ１００の吸込み過程で、液体が複数のポスト１２０の間の隙間から吸込口１０１に流れ、液体中のフロックが複数のポスト１２０上に巻き取られて、ウォーターポンプ１００の内部に吸い込まれにくくなることで、ウォーターポンプ１００の目詰まり又は洗浄過程中の二次汚染を避けることができる。
【００６１】
本発明は、空気調和機として更に提供され、空気調和機は空調室外機と壁掛型室内機とを含み、前記壁掛型室内機と前記空調室外機が冷媒配管によって接続される。前記壁掛型室内機の具体的な構造は、上記実施形態を参照する。この空気調和機は、上記実施形態の技術的手段を採用するため、同様に上記実施形態の技術的手段でもたらす全ての有利な効果を奏し、ここではこれ以上説明しない。
【００６２】
本発明では好ましい実施形態を前述の通り開示したが、これらは決して本発明を限定するものではなく、本発明の明細書及び添付図面を利用して均等の範囲内で各種の変更や修飾、若しくは直接的又は間接的にその他の関連の技術分野に運用されることは、本発明の特許請求の範囲内に含まれる。
【符号の説明】
【００６３】
１００  ウォーターポンプ
１０１  吸込口
１０２  吐出口
１０３  キャビティ
１１０  ポンプ本体
１１１  台座
１１２  カバー
１１３  駆動ブレード
１１４  吸込筒
１１５  突出部
１２０  ポスト
１２０ａ        第１ポスト
１２０ｂ        第２ポスト
１３０  連結リブ
１４０  連結板
２００  空調機用洗浄装置
２１０  集水タンク
２２０  第１ローラブラシ
２３０  第２ローラブラシ
３００  壁掛型室内機
３０１  水受け槽
３１０  筐体
３１１  シャーシ
３２０  貫流風車
３３０  フィルタ
３４０  グリル
【図１】
2021517625.tif 000003
【図２】
2021517625.tif 000004
【図３】
2021517625.tif 000005
【図４】
2021517625.tif 000006
【図５】
2021517625.tif 000007
【図６】
2021517625.tif 000008
【図７】
2021517625.tif 000009
【図８】
2021517625.tif 000010
【図９】
2021517625.tif 000011
【国際調査報告】
2021517625.tif 000012
2021517625.tif 000013
2021517625.tif 000014
2021517625.tif 000015
2021517625.tif 000016
2021517625.tif 000017